(57)【要約】【課題】光磁気ディスクから再生した信号が微小でも、外部からノイズの影響を低減した光磁気ディスクのＲＦ信号処理装置を提供する。【解決手段】ジッター検出器６により増幅器５の出力信号におけるジッター量を検出し、検出したジッター量が最小になるように、ゲイン制御回路７により電流／電圧変換器３ａ、３ｂのゲインを調節することで、自動的に差動アンプ４の２つの入力信号の振幅を同等にし、ノイズ量も同等にして減算することで、ノイズを低減させることができる。【選択図】　図２
2004013963.tif 000002
【特許請求の範囲】
【請求項１】
光磁気ディスクから反射される２種類の回転角を有する反射光をそれぞれ選択的に透過する一対の偏光板と、
前記一対の偏光板より得られた光を検出しそれぞれ電流信号として出力する一対のフォトディテクターと、
前記一対のフォトディテクターより得られた電流信号をそれぞれ互いに逆相の電圧信号に変換する一対の電流／電圧変換器と、
前記一対の電流／電圧変換器より得られた２つの電圧信号を減算する差動アンプと、
前記差動アンプからの出力信号の振幅を増幅する増幅器と、
前記差動アンプに入力される２つの電圧信号の振幅が同じになるように制御する信号振幅制御器とを備えたことを特徴とする光磁気ディスクのＲＦ信号処理装置。
【請求項２】
光磁気ディスクから反射される２種類の回転角を有する反射光をそれぞれ選択的に透過する一対の偏光板と、
前記一対の偏光板より得られた光を検出しそれぞれ電流信号として出力する一対のフォトディテクターと、
前記一対のフォトディテクターより得られた電流信号をそれぞれ互いに逆相の電圧信号に変換する一対の電流／電圧変換器と、
前記一対の電流／電圧変換器より得られた２つの電圧信号を減算する差動アンプと、
前記差動アンプからの出力信号の振幅を増幅する増幅器と、
前記増幅器の出力信号におけるジッター量を検出するジッター検出器と、
前記ジッター検出器で検出した結果に基づいて、前記一対の電流／電圧変換器のゲイン可変量を制御するゲイン制御回路とを備えたことを特徴とする光磁気ディスクのＲＦ信号処理装置。
【請求項３】
光磁気ディスクから反射される２種類の回転角を有する反射光をそれぞれ選択的に透過する一対の偏光板と、
前記一対の偏光板より得られた光を検出しそれぞれ電流信号として出力する一対のフォトディテクターと、
前記一対のフォトディテクターより得られた電流信号をそれぞれ互いに逆相の電圧信号に変換する一対の電流／電圧変換器と、
前記一対の電流／電圧変換器より得られた２つの電圧信号を減算する差動アンプと、
前記差動アンプからの出力信号の振幅を増幅する増幅器と、
前記増幅器の出力信号よりノイズ帯域のみを通過させるフィルターと、
前記フィルターで抽出したノイズの振幅を検出するノイズ振幅検出器と、
前記ノイズ振幅検出器で検出した振幅量に基づいて、前記一対の電流／電圧変換器のゲイン可変量を制御するゲイン制御回路とを備えたことを特徴とする光磁気ディスクのＲＦ信号処理装置。
【請求項４】
光磁気ディスクから反射される２種類の回転角を有する反射光をそれぞれ選択的に透過する一対の偏光板と、
前記一対の偏光板より得られた光を検出しそれぞれ電流信号として出力する一対のフォトディテクターと、
前記一対のフォトディテクターより得られた電流信号を互いに逆相の電圧信号に変換する一対の電流／電圧変換器と、
前記一対の電流／電圧変換器より得られた２つの電圧信号を減算する差動アンプと、
前記差動アンプからの出力信号の振幅を増幅する増幅器と、
前記一対の電流／電圧変換器から出力される２つの電圧信号の振幅を検出する信号振幅検出器と、
前記信号振幅検出器で検出した２つの信号振幅を比較し、その比較結果に基づいて前記一対の電流／電圧変換器のゲイン可変量を制御するゲイン制御回路とを備えたことを特徴とする光磁気ディスクのＲＦ信号処理装置。
【請求項５】
光磁気ディスクから反射される２種類の回転角を有する反射光をそれぞれ選択的に透過する一対の偏光板と、
前記一対の偏光板より得られた光を検出しそれぞれ電流信号として出力する一対のフォトディテクターと、
前記一対のフォトディテクターより得られた電流信号を互いに逆相の電圧信号に変換する一対の電流／電圧変換器と、
前記一対の電流／電圧変換器より得られた２つの電圧信号を減算する差動アンプと、
前記差動アンプからの出力信号の振幅を増幅する増幅器と、
前記増幅器の出力信号におけるジッター量を検出するジッター検出器と、
前記ジッター検出器で検出した結果に基づいて、前記一対のフォトディテクターの感度を制御する感度制御回路とを備えたことを特徴とする光磁気ディスクのＲＦ信号処理装置。
【請求項６】
光磁気ディスクから反射される２種類の回転角を有する反射光をそれぞれ選択的に透過する一対の偏光板と、
前記一対の偏光板より得られた光を検出しそれぞれ電流信号として出力する一対のフォトディテクターと、
前記一対のフォトディテクターより得られた電流信号を互いに逆相の電圧信号に変換する一対の電流／電圧変換器と、
前記一対の電流／電圧変換器より得られた２つの電圧信号を減算する差動アンプと、
前記差動アンプからの出力信号の振幅を増幅する増幅器と、
前記増幅器の出力信号よりノイズ帯域のみを通過させるフィルターと、
前記フィルターで抽出したノイズの振幅を検出するノイズ振幅検出器と、
前記ノイズ振幅検出器で検出した振幅量に基づいて、前記一対のフォトディテクターの感度を制御する感度制御回路とを備えたことを特徴とする光磁気ディスクのＲＦ信号処理装置。
【請求項７】
光磁気ディスクから反射される２種類の回転角を有する反射光をそれぞれ選択的に透過する一対の偏光板と、
前記一対の偏光板より得られた光を検出しそれぞれ電流信号として出力する一対のフォトディテクターと、
前記一対のフォトディテクターより得られた電流信号を互いに逆相の電圧信号に変換する一対の電流／電圧変換器と、
前記一対の電流／電圧変換器より得られた２つの電圧信号を減算する差動アンプと、
前記差動アンプからの出力信号の振幅を増幅する増幅器と、
前記一対の電流／電圧変換器から出力される２つの電圧信号の振幅を検出する信号振幅検出器と、
前記信号振幅検出器で検出した２つの信号振幅を比較し、その比較結果に基づいて前記一対のフォトディテクターの感度を制御する感度制御回路とを備えたことを特徴とする光磁気ディスクのＲＦ信号処理装置。
【請求項８】
光磁気ディスクから反射される２種類の回転角を有する反射光をそれぞれ選択的に透過する一対の偏光板と、
前記一対の偏光板より得られた光を検出しそれぞれ電流信号として出力する一対のフォトディテクターと、
前記一対のフォトディテクターより得られた電流信号を互いに逆相の電圧信号に変換する一対の電流／電圧変換器と、
前記一対の電流／電圧変換器より得られた２つの電圧信号を減算する差動アンプと、
前記差動アンプからの出力信号の振幅を増幅する増幅器と、
工程調整時に前記一対のフォトディテクターに同じ強度および回転角を有する光を与えるレーザー発生器と、
前記増幅器からの出力信号の振幅を検出する信号振幅検出器と、
工程調整時に前記レーザー発生器により前記一対のフォトディテクターに同じ強度および回転角を有する光を与え、前記信号振幅検出器で検出した振幅量に基づいて、前記一対の電流／電圧変換器のゲイン可変量を制御するゲイン制御回路とを備えたことを特徴とする光磁気ディスクのＲＦ信号処理装置。
【請求項９】
光磁気ディスクから反射される２種類の回転角を有する反射光をそれぞれ選択的に透過する一対の偏光板と、
前記一対の偏光板より得られた光を検出しそれぞれ電流信号として出力する一対のフォトディテクターと、
前記一対のフォトディテクターより得られた電流信号を互いに逆相の電圧信号に変換する一対の電流／電圧変換器と、
前記一対の電流／電圧変換器より得られた２つの電圧信号を減算する差動アンプと、
前記差動アンプからの出力信号の振幅を増幅する増幅器と、
工程調整時に前記一対のフォトディテクターに同じ強度および回転角を有する光を与えるレーザー発生器と、
前記増幅器からの出力信号の振幅を検出する信号振幅検出器と、
工程調整時に前記レーザー発生器により前記一対のフォトディテクターに同じ強度および回転角を有する光を与え、前記信号振幅検出器で検出した振幅量に基づいて、前記一対のフォトディテクターの感度を制御する感度制御回路とを備えたことを特徴とする光磁気ディスクのＲＦ信号処理装置。
【請求項１０】
光磁気ディスクから反射される２種類の回転角を有する反射光をそれぞれ選択的に透過する一対の偏光板と、
前記一対の偏光板より得られた光を検出しそれぞれ電流信号として出力する一対のフォトディテクターと、
前記一対のフォトディテクターより得られた電流信号を互いに逆相の電圧信号に変換する一対の電流／電圧変換器と、
前記一対の電流／電圧変換器より得られた２つの電圧信号を減算する差動アンプと、
前記差動アンプからの出力信号の振幅を増幅する増幅器と、
前記増幅器の出力信号におけるジッター量を検出するジッター検出器と、
前記一対の電流／電圧変換器と前記差動アンプとの間に設けられ、前記一対の電流／電圧変換器からの２つの電圧信号の振幅を調整するバランス回路と、
前記ジッター検出器で検出した結果に基づいて、前記バランス回路の振幅調整量を制御するバランス量制御回路とを備えたことを特徴とする光磁気ディスクのＲＦ信号処理装置。
【請求項１１】
光磁気ディスクから反射される２種類の回転角を有する反射光をそれぞれ選択的に透過する一対の偏光板と、
前記一対の偏光板より得られた光を検出しそれぞれ電流信号として出力する一対のフォトディテクターと、
前記一対のフォトディテクターより得られた電流信号を互いに逆相の電圧信号に変換する一対の電流／電圧変換器と、
前記一対の電流／電圧変換器より得られた２つの電圧信号を減算する差動アンプと、
前記差動アンプからの出力信号の振幅を増幅する増幅器と、
前記増幅器の出力信号よりノイズ帯域のみを通過させるフィルターと、
前記フィルターで抽出したノイズの振幅を検出するノイズ振幅検出器と、
前記一対の電流／電圧変換器と前記差動アンプとの間に設けられ、前記一対の電流／電圧変換器からの２つの電圧信号の振幅を調整するバランス回路と、
前記ノイズ振幅検出器で検出した振幅量に基づいて、前記バランス回路の振幅調整量を制御するバランス量制御回路とを備えたことを特徴とする光磁気ディスクのＲＦ信号処理装置。
【請求項１２】
光磁気ディスクから反射される２種類の回転角を有する反射光をそれぞれ選択的に透過する一対の偏光板と、
前記一対の偏光板より得られた光を検出しそれぞれ電流信号として出力する一対のフォトディテクターと、
前記一対のフォトディテクターより得られた電流信号を互いに逆相の電圧信号に変換する一対の電流／電圧変換器と、
前記一対の電流／電圧変換器より得られた２つの電圧信号を減算する差動アンプと、
前記差動アンプからの出力信号の振幅を増幅する増幅器と、
前記一対の電流／電圧変換器と前記差動アンプとの間に設けられ、前記一対の電流／電圧変換器からの２つの電圧信号の振幅を調整するバランス回路と、
前記バランス回路からの２つの出力信号の振幅を検出する信号振幅検出器と、前記信号振幅検出器で検出した２つの信号振幅を比較し、その比較結果に基づいて前記バランス回路の振幅調整量を制御するバランス量制御回路とを備えたことを特徴とする光磁気ディスクのＲＦ信号処理装置。
【請求項１３】
光磁気ディスクから反射される２種類の回転角を有する反射光をそれぞれ選択的に透過する一対の偏光板と、
前記一対の偏光板より得られた光を検出しそれぞれ電流信号として出力する一対のフォトディテクターと、
前記一対のフォトディテクターより得られた電流信号を互いに逆相の電圧信号に変換する一対の電流／電圧変換器と、
前記一対の電流／電圧変換器より得られた２つの電圧信号を減算する差動アンプと、
前記差動アンプからの出力信号の振幅を増幅する増幅器と、
工程調整時に前記一対のフォトディテクターに同量の光を与えるレーザー発生器と、
前記増幅器からの出力信号の振幅を検出する信号振幅検出器と、
前記一対の電流／電圧変換器と前記差動アンプとの間に設けられ、前記一対の電流／電圧変換器からの２つの電圧信号の振幅を調整するバランス回路と、
工程調整時に前記レーザー発生器により前記一対のフォトディテクターに同量の光を与え、前記信号振幅検出器で検出した振幅量に基づいて、前記バランス回路の振幅調整量を制御するバランス量制御回路とを備えることを特徴とする光磁気ディスクのＲＦ信号処理装置。
【発明の詳細な説明】
【０００１】
【発明の属する技術分野】
本発明は、光磁気ディスクのＲＦ信号処理装置に関し、特にＲＦ信号からノイズを除去する回路技術に関する。
【０００２】
【従来の技術】
以下に、従来の光磁気ディスクのＲＦ信号処理装置について説明する。
【０００３】
図１４は、従来の光磁気ディスクのＲＦ信号処理装置の構成図である。図１４において、１ａ、１ｂは偏光板、２ａ、２ｂはフォトディテクター（ＰＤ）、３ａ、３ｂは電流／電圧変換器（Ｉ／Ｖ）、４は差動アンプ、５は増幅器である。
【０００４】
次に、このように構成された光磁気ディスクのＲＦ信号処理装置の動作について説明する。
【０００５】
光磁気ディスクに収束レーザーが照射されると、ディスク上の磁界の向きにより反射光の偏光方向の角度が変わるため、２種類の回転角を持つ反射光が得られる。反射光は２つに分けられ偏光板１ａ、１ｂに投射される。偏光板１ａ、１ｂは反射光をその回転角に応じて選択的に透過する。例えば、プラス方向の回転角を持つ反射光の場合、偏光板１ａは透過し、１ｂは透過しない、反対にマイナス方向の場合、偏光板１ａは透過せず、１ｂは透過する。
【０００６】
この偏光板１ａ、１ｂより透過された光はフォトディテクター２ａ、２ｂで受光され電流信号として出力される。その出力電流は、電流／電圧変換器３ａ、３ｂによって２つの逆相の電圧信号Ｘ、Ｙに変換される。２つの逆相の電圧信号Ｘ、Ｙは差動アンプ４で減算されてＲＦ信号Ｚが生成され、増幅器５により一定レベルの振幅の出力信号Ｏに増幅される。
【０００７】
以上のような構成の中で、外部からフォトディテクター２ａ、２ｂにノイズが載った場合、フォトディテクター２ａおよび電流／電圧変換器３ａと、フォトディテクター２ｂおよび電流／電圧変換器３ｂとにゲインバラツキが無い状態では、２つの電圧信号Ｘ、Ｙの振幅は同じになる。そのため、その電圧信号に載るノイズの量も同じになり、また同相成分であるため差動アンプ４で減算されキャンセルされる。
【０００８】
図１５Ａは、フォトディテクター２ａおよび電流／電圧変換器３ａと、フォトディテクター２ｂおよび電流／電圧変換器３ｂとにゲインバラツキが無い場合の各部信号とその信号に載るノイズの例を示す波形図である。
【０００９】
図１５Ａに示すように、フォトディテクター２ａおよび電流／電圧変換器３ａと、フォトディテクター２ｂおよび電流／電圧変換器３ｂとにゲインバラツキが無い場合、２つの電圧信号Ｘ、Ｙの振幅は同振幅（例として、５０ｍＶｐｐ）で、これらの信号に載るノイズＮＸ、ＮＹは、電圧信号ＸとＹの振幅が同じであるため同量（例として、２ｍＶｐｐ）となる。その後、差動アンプ４で減算した結果、２つの電圧信号Ｘ、Ｙは逆相であるため出力信号Ｚは１００ｍＶｐｐとなるが、ノイズは同相であるため０となりキャンセルされる。最終の出力信号Ｏを１Ｖｐｐにするため増幅器５のゲインを１０倍にしているが、ノイズ量はそのまま０で出力される。
【００１０】
次に、図１５Ｂのように、フォトディテクター２ａおよび電流／電圧変換器３ａに例えば＋１０％のゲインバラツキ、フォトディテクター２ｂおよび電流／電圧変換器３ｂに例えば−１０％のゲインバラツキがあった場合、電圧信号Ｘの振幅は＋１０％の５５ｍＶｐｐとなり、電圧信号ＸにのるノイズＮＸも同様に＋１０％増え２．２ｍＶｐｐとなる。反対に、電圧信号Ｙの振幅は−１０％の４５ｍＶｐｐとなり、電圧信号ＹにのるノイズＮＹは−１０％減り１．８ｍＶｐｐとなり、差動アンプ４で減算した結果、出力信号Ｚに０．４ｍＶｐｐのノイズＮＺが生じる。この後、増幅器で１０倍に増幅すると、最終の出力信号Ｏの振幅は１Ｖｐｐでゲインバラツキが無い場合と同等になるが、ノイズ量は４ｍＶｐｐで残ってしまう。
【００１１】
しかし、このノイズレベルであれば現状のシステムでは問題にならないレベルであった。
【００１２】
【発明が解決しようとする課題】
しかしながら、年々記録媒体の高密度化が進み、そのためピット長やピット間が狭くなり、ピットに当てるレーザーの径も小さくなり反射光も小さくなるため、ピックアップからの信号が微小となる。
【００１３】
この様に、ピックアップからの信号が微小になってくると、上記従来の構成で同等の信号振幅を出力するためには増幅器のゲインを大きくする必要があり、そのためノイズの量も増幅されてしまう。
【００１４】
図１５Ｃは、ピックアップからの信号が微小になった場合で、フォトディテクター２ａおよび電流／電圧変換器３ａに例えば＋１０％のゲインバラツキ、フォトディテクター２ｂおよび電流／電圧変換器３ｂに例えば−１０％のゲインバラツキがあった場合の各部信号とその信号に載るノイズの例を示す波形図である。
【００１５】
図１５Ｃに示すように、例としてピックアップからの微小信号を５ｍＶｐｐとすると、電圧信号Ｘの振幅は＋１０％の５．５ｍＶｐｐ、電圧信号Ｙの振幅は−１０％の４．５ｍＶｐｐとなり、後段の差動アンプ４で減算すると１０ｍＶｐｐとなる。そのため、最終の出力信号Ｏの振幅を１Ｖｐｐにするためには、増幅器５のゲインを１００倍に大きくする必要がある。
【００１６】
しかし、ノイズ量は以前と同じレベルで載ってくるため、最終の出力信号ＯのノイズＮＯは、以前の１０倍の４０ｍＶｐｐと増加してしまい、システム上問題となってしまうという問題を有していた。
【００１７】
本発明は、上記従来の問題点を解決するもので、その目的は、ピックアップからの信号が微小になっても、フォトディテクターより載ってくるノイズを低減可能な光磁気ディスクのＲＦ信号処理装置を提供することにある。
【００１８】
【課題を解決するための手段】
前記の目的を達成するため、本発明に係る光磁気ディスクのＲＦ信号処理装置は、光磁気ディスクから反射される２種類の回転角を有する反射光をそれぞれ選択的に透過する一対の偏光板と、一対の偏光板より得られた光を検出しそれぞれ電流信号として出力する一対のフォトディテクターと、一対のフォトディテクターより得られた電流信号をそれぞれ互いに逆相関係にある電圧信号に変換する一対の電流／電圧変換器と、一対の電流／電圧変換器より得られた２つの電圧信号を減算する差動アンプと、差動アンプからの出力信号の振幅を増幅する増幅器と、差動アンプに入力される２つの電圧信号の振幅が同じになるように制御する信号振幅制御器とを備えたことを特徴とする。
【００１９】
【発明の実施の形態】
本発明の第１の特徴的形態は、光磁気ディスクから反射される２種類の回転角を有する反射光をそれぞれ選択的に透過する一対の偏光板（１ａ、１ｂ）と、一対の偏光板より得られた光を検出しそれぞれ電流信号として出力する一対のフォトディテクター（２ａ、２ｂ）と、一対のフォトディテクターより得られた電流信号をそれぞれ互いに逆相関係にある電圧信号に変換する一対の電流／電圧変換器（３ａ、３ｂ）と、一対の電流／電圧変換器より得られた２つの電圧信号を減算する差動アンプ（４）と、差動アンプからの出力信号の振幅を増幅する増幅器（５）と、差動アンプに入力される２つの電圧信号の振幅が同じになるように制御する信号振幅制御器（２５）とを備えたことにある。
【００２０】
この第１の特徴的形態によれば、信号振幅制御器により差動アンプの２つの入力信号の振幅を常に同等にし、ノイズ量も同等にして減算することで、ノイズを低減させることが可能となる。
【００２１】
本発明の第２の特徴的形態は、光磁気ディスクから反射される２種類の回転角を有する反射光をそれぞれ選択的に透過する一対の偏光板（１ａ、１ｂ）と、一対の偏光板より得られた光を検出しそれぞれ電流信号として出力する一対のフォトディテクター（２ａ、２ｂ）と、一対のフォトディテクターより得られた電流信号をそれぞれ互いに逆相関係にある電圧信号に変換する一対の電流／電圧変換器（３ａ、３ｂ）と、一対の電流／電圧変換器より得られた２つの電圧信号を減算する差動アンプ（４）と、差動アンプからの出力信号の振幅を増幅する増幅器（５）と、増幅器の出力信号におけるジッター量を検出するジッター検出器（６）と、ジッター検出器で検出した結果に基づいて、一対の電流／電圧変換器のゲイン可変量を制御するゲイン制御回路（７）とを備えたことにある。
【００２２】
この第２の特徴的形態によれば、ジッター検出器、ゲイン制御回路によりフィードバックをかけ、電流／電圧変換器のゲインを調節することで、自動的に差動アンプの２つの入力信号の振幅を同等にし、ノイズ量も同等にして減算することで、ノイズを低減させることが可能となる。
【００２３】
本発明の第３の特徴的形態は、光磁気ディスクから反射される２種類の回転角を有する反射光をそれぞれ選択的に透過する一対の偏光板（１ａ、１ｂ）と、一対の偏光板より得られた光を検出しそれぞれ電流信号として出力する一対のフォトディテクター（２ａ、２ｂ）と、一対のフォトディテクターより得られた電流信号をそれぞれ互いに逆相関係にある電圧信号に変換する一対の電流／電圧変換器（３ａ、３ｂ）と、一対の電流／電圧変換器より得られた２つの電圧信号を減算する差動アンプ（４）と、差動アンプからの出力信号の振幅を増幅する増幅器（５）と、増幅器の出力信号よりノイズ帯域のみを通過させるフィルター（８）と、フィルターで抽出したノイズの振幅を検出するノイズ振幅検出器（９）と、ノイズ振幅検出器で検出した振幅量に基づいて、一対の電流／電圧変換器のゲイン可変量を制御するゲイン制御回路（１０）とを備えたことにある。
【００２４】
この第３の特徴的形態によれば、フィルター、ノイズ振幅検出器、ゲイン制御回路によりフィードバックをかけ、電流／電圧変換器のゲインを調節することで、自動的に差動アンプの２つの入力信号の振幅を同等にし、ノイズ量も同等にして減算することで、ノイズを低減させることが可能となる。
【００２５】
本発明の第４の特徴的形態は、光磁気ディスクから反射される２種類の回転角を有する反射光をそれぞれ選択的に透過する一対の偏光板（１ａ、１ｂ）と、一対の偏光板より得られた光を検出しそれぞれ電流信号として出力する一対のフォトディテクター（２ａ、２ｂ）と、一対のフォトディテクターより得られた電流信号をそれぞれ互いに逆相関係にある電圧信号に変換する一対の電流／電圧変換器（３ａ、３ｂ）と、一対の電流／電圧変換器より得られた２つの電圧信号を減算する差動アンプ（４）と、差動アンプからの出力信号の振幅を増幅する増幅器（５）と、一対の電流／電圧変換器から出力される２つの電圧信号の振幅を検出する信号振幅検出器（１１）と、信号振幅検出器で検出した２つの信号振幅を比較し、その比較結果に基づいて一対の電流／電圧変換器のゲイン可変量を制御するゲイン制御回路（１２）とを備えたことにある。
【００２６】
この第４の特徴的形態によれば、信号振幅検出器、ゲイン制御回路によりフィードバックをかけ、電流／電圧変換器のゲインを調節することで、自動的に差動アンプの２つの入力信号の振幅を同等にし、ノイズ量も同等にして減算することで、ノイズを低減させることが可能となる。
【００２７】
本発明の第５の特徴的形態は、光磁気ディスクから反射される２種類の回転角を有する反射光をそれぞれ選択的に透過する一対の偏光板（１ａ、１ｂ）と、一対の偏光板より得られた光を検出しそれぞれ電流信号として出力する一対のフォトディテクター（２ａ、２ｂ）と、一対のフォトディテクターより得られた電流信号をそれぞれ互いに逆相関係にある電圧信号に変換する一対の電流／電圧変換器（３ａ、３ｂ）と、一対の電流／電圧変換器より得られた２つの電圧信号を減算する差動アンプ（４）と、差動アンプからの出力信号の振幅を増幅する増幅器（５）と、増幅器の出力信号におけるジッター量を検出するジッター検出器（６）と、ジッター検出器で検出した結果に基づいて、一対のフォトディテクターの感度を制御する感度制御回路（１６）とを備えたことにある。
【００２８】
この第５の特徴的形態によれば、ジッター検出器、感度制御回路によりフィードバックをかけ、フォトディテクターの感度を調節することで、自動的に差動アンプの２つの入力信号の振幅を同等にし、ノイズ量も同等にして減算することで、ノイズを低減させることが可能となる。
【００２９】
本発明の第６の特徴的形態は、光磁気ディスクから反射される２種類の回転角を有する反射光をそれぞれ選択的に透過する一対の偏光板（１ａ、１ｂ）と、一対の偏光板より得られた光を検出しそれぞれ電流信号として出力する一対のフォトディテクター（２ａ、２ｂ）と、一対のフォトディテクターより得られた電流信号をそれぞれ互いに逆相関係にある電圧信号に変換する一対の電流／電圧変換器（３ａ、３ｂ）と、一対の電流／電圧変換器より得られた２つの電圧信号を減算する差動アンプ（４）と、差動アンプからの出力信号の振幅を増幅する増幅器（５）と、増幅器の出力信号よりノイズ帯域のみを通過させるフィルター（８）と、フィルターで抽出したノイズの振幅を検出するノイズ振幅検出器（９）と、ノイズ振幅検出器で検出した振幅量に基づいて、一対のフォトディテクターの感度を制御する感度制御回路（１７）とを備えたことにある。
【００３０】
この第６の特徴的形態によれば、フィルター、ノイズ振幅検出器、感度制御回路によりフィードバックをかけ、フォトディテクターの感度を調節することで、自動的に差動アンプの２つの入力信号の振幅を同等にし、ノイズ量も同等にして減算することで、ノイズを低減させることが可能となる。
【００３１】
本発明の第７の特徴的形態は、光磁気ディスクから反射される２種類の回転角を有する反射光をそれぞれ選択的に透過する一対の偏光板（１ａ、１ｂ）と、一対の偏光板より得られた光を検出しそれぞれ電流信号として出力する一対のフォトディテクター（２ａ、２ｂ）と、一対のフォトディテクターより得られた電流信号をそれぞれ互いに逆相関係にある電圧信号に変換する一対の電流／電圧変換器（３ａ、３ｂ）と、一対の電流／電圧変換器より得られた２つの電圧信号を減算する差動アンプ（４）と、差動アンプからの出力信号の振幅を増幅する増幅器（５）と、一対の電流／電圧変換器から出力される２つの電圧信号の振幅を検出する信号振幅検出器（１１）と、信号振幅検出器で検出した２つの信号振幅を比較し、その比較結果に基づいて一対のフォトディテクターの感度を制御する感度制御回路（１８）とを備えたことにある。
【００３２】
この第７の特徴的形態によれば、信号振幅検出器、感度制御回路によりフィードバックをかけ、フォトディテクターの感度を調節することで、自動的に差動アンプの２つの入力信号の振幅を同等にし、ノイズ量も同等にして減算することで、ノイズを低減させることが可能となる。
【００３３】
本発明の第８の特徴的形態は、光磁気ディスクから反射される２種類の回転角を有する反射光をそれぞれ選択的に透過する一対の偏光板（１ａ、１ｂ）と、一対の偏光板より得られた光を検出しそれぞれ電流信号として出力する一対のフォトディテクター（２ａ、２ｂ）と、一対のフォトディテクターより得られた電流信号をそれぞれ互いに逆相関係にある電圧信号に変換する一対の電流／電圧変換器（３ａ、３ｂ）と、一対の電流／電圧変換器より得られた２つの電圧信号を減算する差動アンプ（４）と、差動アンプからの出力信号の振幅を増幅する増幅器（５）と、工程調整時に一対のフォトディテクターに同じ強度および回転角を有する光を与えるレーザー発生器（１３）と、増幅器からの出力信号の振幅を検出する信号振幅検出器（１４）と、工程調整時にレーザー発生器により一対のフォトディテクターに同じ強度および回転角を有する光を与え、信号振幅検出器で検出した振幅量に基づいて、一対の電流／電圧変換器のゲイン可変量を制御するゲイン制御回路（１５）とを備えたことにある。
【００３４】
この第８の特徴的形態によれば、工場調整時、すなわち光磁気ディスクの無再生時に、外部のレーザー発生器よりフォトディテクターに同じ強度および回転角を有する光を当て、増幅器の出力信号の振幅を検出し、その検出した振幅が最小になるように、ゲイン制御回路により電流／電圧変換器のゲインを制御することで、第２から第７の特徴的形態のように、光磁気ディスクから信号を再生してフィードバックをかけ、ノイズの低減の調整をするというタイムラグなしに、ノイズの低減が可能となる。
【００３５】
本発明の第９の特徴的形態は、光磁気ディスクから反射される２種類の回転角を有する反射光をそれぞれ選択的に透過する一対の偏光板（１ａ、１ｂ）と、一対の偏光板より得られた光を検出しそれぞれ電流信号として出力する一対のフォトディテクター（２ａ、２ｂ）と、一対のフォトディテクターより得られた電流信号をそれぞれ互いに逆相関係にある電圧信号に変換する一対の電流／電圧変換器（３ａ、３ｂ）と、一対の電流／電圧変換器より得られた２つの電圧信号を減算する差動アンプ（４）と、差動アンプからの出力信号の振幅を増幅する増幅器（５）と、工程調整時に一対のフォトディテクターに同じ強度および回転角を有する光を与えるレーザー発生器（１３）と、増幅器からの出力信号の振幅を検出する信号振幅検出器（１４）と、工程調整時にレーザー発生器により一対のフォトディテクターに同じ強度および回転角を有する光を与え、信号振幅検出器で検出した振幅量に基づいて、一対のフォトディテクターの感度を制御する感度制御回路（１９）とを備えたことにある。
【００３６】
この第９の特徴的形態によれば、工場調整時、すなわち光磁気ディスクの無再生時に、外部のレーザー発生器よりフォトディテクターに同じ強度および回転角を有する光を当て、増幅器の出力信号の振幅を検出し、その検出した振幅が最小になるように、感度制御回路によりフォトディテクターの感度を制御することで、第２から第７の特徴的形態のように、光磁気ディスクから信号を再生してフィードバックをかけ、ノイズの低減の調整をするというタイムラグなしに、ノイズの低減が可能となる。
【００３７】
本発明の第１０の特徴的形態は、光磁気ディスクから反射される２種類の回転角を有する反射光をそれぞれ選択的に透過する一対の偏光板（１ａ、１ｂ）と、一対の偏光板より得られた光を検出しそれぞれ電流信号として出力する一対のフォトディテクター（２ａ、２ｂ）と、一対のフォトディテクターより得られた電流信号をそれぞれ互いに逆相関係にある電圧信号に変換する一対の電流／電圧変換器（３ａ、３ｂ）と、一対の電流／電圧変換器より得られた２つの電圧信号を減算する差動アンプ（４）と、差動アンプからの出力信号の振幅を増幅する増幅器（５）と、増幅器の出力信号におけるジッター量を検出するジッター検出器（６）と、一対の電流／電圧変換器と差動アンプとの間に設けられ、一対の電流／電圧変換器からの２つの電圧信号の振幅を調整するバランス回路（２０）と、ジッター検出器で検出した結果に基づいて、バランス回路の振幅調整量を制御するバランス量制御回路（２１）とを備えたことにある。
【００３８】
この第１０の特徴的形態によれば、ジッター検出器、バランス量制御回路によりフィードバックをかけ、バランス回路により差動アンプの入力信号の振幅バランスをとることで、自動的に差動アンプの２つの入力信号の振幅を同等にし、ノイズ量も同等にして減算することで、ノイズを低減させることが可能となる。また、電流／電圧変換器から前段と後段で２チップ構成をとる場合、前段のチップが変更になった時、後段のチップのみでノイズ調整ができる。従って、一体型チップのように全システムを変える必要はなく、前段チップの変更のみで対応することができる。
【００３９】
本発明の第１１の特徴的形態は、光磁気ディスクから反射される２種類の回転角を有する反射光をそれぞれ選択的に透過する一対の偏光板（１ａ、１ｂ）と、一対の偏光板より得られた光を検出しそれぞれ電流信号として出力する一対のフォトディテクター（２ａ、２ｂ）と、一対のフォトディテクターより得られた電流信号をそれぞれ互いに逆相関係にある電圧信号に変換する一対の電流／電圧変換器（３ａ、３ｂ）と、一対の電流／電圧変換器より得られた２つの電圧信号を減算する差動アンプ（４）と、差動アンプからの出力信号の振幅を増幅する増幅器（５）と、増幅器の出力信号よりノイズ帯域のみを通過させるフィルター（８）と、フィルターで抽出したノイズの振幅を検出するノイズ振幅検出器（９）と、一対の電流／電圧変換器と差動アンプとの間に設けられ、一対の電流／電圧変換器からの２つの電圧信号の振幅を調整するバランス回路（２０）と、ノイズ振幅検出器で検出した振幅量に基づいて、バランス回路の振幅調整量を制御するバランス量制御回路（２２）とを備えたことにある。
【００４０】
この第１１の特徴的形態によれば、フィルター８、ノイズ振幅検出器９、バランス量制御回路２２によりフィードバックをかけ、バランス回路２０により差動アンプ４の入力信号の振幅バランスをとることで、自動的に差動アンプ４の２つの入力信号の振幅を同等にし、ノイズ量も同等にして減算することで、ノイズを低減させることが可能となる。
【００４１】
また、電流／電圧変換器３ａ、３ｂから前段と後段で２チップ構成をとる場合、前段のチップが変更になった時、後段のチップのみでノイズ調整ができる。従って、一体型チップのように全システムを変える必要はなく、前段チップの変更のみで対応することができる。
【００４２】
本発明の第１２の特徴的形態は、光磁気ディスクから反射される２種類の回転角を有する反射光をそれぞれ選択的に透過する一対の偏光板（１ａ、１ｂ）と、一対の偏光板より得られた光を検出しそれぞれ電流信号として出力する一対のフォトディテクター（２ａ、２ｂ）と、一対のフォトディテクターより得られた電流信号をそれぞれ互いに逆相関係にある電圧信号に変換する一対の電流／電圧変換器（３ａ、３ｂ）と、一対の電流／電圧変換器より得られた２つの電圧信号を減算する差動アンプ（４）と、差動アンプからの出力信号の振幅を増幅する増幅器（５）と、一対の電流／電圧変換器と差動アンプとの間に設けられ、一対の電流／電圧変換器からの２つの電圧信号の振幅を調整するバランス回路（２０）と、バランス回路からの２つの出力信号の振幅を検出する信号振幅検出器（１１）と、信号振幅検出器で検出した２つの信号振幅を比較し、その比較結果に基づいてバランス回路の振幅調整量を制御するバランス量制御回路（２３）とを備えたことにある。
【００４３】
この第１２の特徴的形態によれば、信号振幅検出器、バランス量制御回路によりフィードバックをかけ、バランス回路により差動アンプの入力信号の振幅バランスをとることで、自動的に差動アンプの２つの入力信号の振幅を同等にし、ノイズ量も同等にして減算することで、ノイズを低減させることが可能となる。
【００４４】
また、電流／電圧変換器から前段と後段で２チップ構成をとる場合、前段のチップが変更になった時、後段のチップのみでノイズ調整ができる。従って、一体型チップのように全システムを変える必要はなく、前段チップの変更のみで対応することができる。
【００４５】
本発明の第１３の特徴的形態は、光磁気ディスクから反射される２種類の回転角を有する反射光をそれぞれ選択的に透過する一対の偏光板（１ａ、１ｂ）と、一対の偏光板より得られた光を検出しそれぞれ電流信号として出力する一対のフォトディテクター（２ａ、２ｂ）と、一対のフォトディテクターより得られた電流信号をそれぞれ互いに逆相関係にある電圧信号に変換する一対の電流／電圧変換器（３ａ、３ｂ）と、一対の電流／電圧変換器より得られた２つの電圧信号を減算する差動アンプ（４）と、差動アンプからの出力信号の振幅を増幅する増幅器（５）と、工程調整時に前記一対のフォトディテクターに同量の光を与えるレーザー発生器（１３）と、増幅器からの出力信号の振幅を検出する信号振幅検出器（１４）と、一対の電流／電圧変換器と差動アンプとの間に設けられ、一対の電流／電圧変換器からの２つの電圧信号の振幅を調整するバランス回路（２０）と、工程調整時にレーザー発生器により一対のフォトディテクターに同量の光を与え、信号振幅検出器で検出した振幅量に基づいて、バランス回路の振幅調整量を制御するバランス量制御回路（２４）とを備えたことにある。
【００４６】
この第１３の特徴的形態によれば、第２から第７の特徴的形態のように、光磁気ディスクから信号を再生してフィードバックをかけ、ノイズの低減の調整をするというタイムラグなしに、ノイズの低減が可能となる。
【００４７】
また、電流／電圧変換器３ａ、３ｂから前段と後段で２チップ構成をとる場合、前段のチップが変更になった時、後段のチップのみでノイズ調整ができる。従って、一体型チップのように全システムを変える必要はなく、前段チップの変更のみで対応することができる。
【００４８】
以下、図面を参照しながら、具体的に説明する。
【００４９】
（第１の実施形態）
図１は、本発明の第１の実施形態に係る光磁気ディスクのＲＦ信号処理装置の構成図である。なお、本実施形態は、上記本発明の第１の特徴的形態を具現化したものである。図１において、１ａ、１ｂは偏光板、２ａ、２ｂはフォトディテクター、３ａ、３ｂは電流／電圧変換器、４は差動アンプ、５は増幅器、２５は信号振幅制御器である。なお、偏光板１ａ、１ｂ、フォトディテクター２ａ、２ｂ、電流／電圧変換器３ａ、３ｂ、差動アンプ４、増幅器５は従来例と同じ動作を行う。
【００５０】
収束レーザーが光磁気ディスクに照射され、偏光板１ａ、１ｂによりその２種類の回転角を持つ反射光が選択的に透過され、透過された光はフォトディテクター２ａ、２ｂで電流信号に変換され、電流／電圧変換器３ａ、３ｂで２つの逆相関係にある電圧信号に変換される。この２つの逆相の電圧信号を差動アンプ４で減算することによりＲＦ信号が生成され、増幅器５により一定レベルの振幅の出力信号になるように増幅される。
【００５１】
この時、ピックアップからの信号が微小で、フォトディテクター２ａ、２ｂあるいは電流／電圧変換器３ａ、３ｂにゲインバラツキがあった場合、従来例で説明したようにノイズが残る。このノイズを低減するため、信号振幅制御器２５により差動アンプ４の２つの入力信号の振幅を制御し、常に同振幅にあわせることで、信号にのるノイズ量も同量になり、差動アンプ４でキャンセルされる。
【００５２】
以上のように、本実施形態によれば、差動アンプ４の２つの入力信号の振幅を常に同等にし、ノイズ量も同等にして減算することで、ノイズを低減させることが可能となる。
【００５３】
（第２の実施形態）
図２は、本発明の第２の実施形態に係る光磁気ディスクのＲＦ信号処理装置の構成図である。なお、本実施形態は、上記本発明の第２の特徴的形態を具現化したものである。図２において、１ａ、１ｂは偏光板、２ａ、２ｂはフォトディテクター、３ａ、３ｂは電流電圧変換器、４は差動アンプ、５は増幅器、６はジッター検出器、７はゲイン制御回路である。なお、偏光板１ａ、１ｂ、フォトディテクター２ａ、２ｂ、電流／電圧変換器３ａ、３ｂ、差動アンプ４、増幅器５は従来例と同じ動作を行う。ただし、電流／電圧変換器３ａ、３ｂのゲインが制御される点が従来例とは異なる。
【００５４】
増幅器５の出力信号におけるノイズ量をジッター検出器６よりジッター量として検出しながら、このジッター量が最小になるように、ゲイン制御回路７により電流／電圧変換器３ａ、３ｂのゲインが調整される。
【００５５】
以上のように、本実施形態によれば、ジッター検出器６、ゲイン制御回路７によりフィードバックをかけ、電流／電圧変換器３ａ、３ｂのゲインを調節することで、自動的に差動アンプ４の２つの入力信号の振幅を同等にし、ノイズ量も同等にして減算することで、ノイズを低減させることが可能となる。
【００５６】
（第３の実施形態）
図３は、本発明の第３の実施形態に係る光磁気ディスクのＲＦ信号処理装置の構成図である。なお、本実施形態は、上記本発明の第３の特徴的形態を具現化したものである。図３において、８はフィルター、９はノイズ振幅検出器で、第２の実施形態のジッター検出器６に代わる別の検出手段である。１０はゲイン制御回路で、その他の構成は、第２の実施形態と同じである。
【００５７】
フィルター８は、増幅器５からの出力信号の周波数成分のうちノイズ帯域のみを通過させる。このノイズの振幅をノイズ振幅検出器９で検出し、検出したノイズの振幅が最小になるように、ゲイン制御回路１０により電流／電圧変換器３ａ、３ｂのゲインが調整される。
【００５８】
以上のように、本実施形態によれば、フィルター８、ノイズ振幅検出器９、ゲイン制御回路１０によりフィードバックをかけ、電流／電圧変換器３ａ、３ｂのゲインを調節することで、自動的に差動アンプ４の２つの入力信号の振幅を同等にし、ノイズ量も同等にして減算することで、ノイズを低減させることが可能となる。
【００５９】
（第４の実施形態）
図４は、本発明の第４の実施形態に係る光磁気ディスクのＲＦ信号処理装置の構成図である。なお、本実施形態は、上記本発明の第４の特徴的形態を具現化したものである。図４において、１１は信号振幅検出器で、第２の実施形態のジッター検出器６に代わる別の検出手段である。１２はゲイン制御回路で、その他の構成は、第２の実施形態と同じである。
【００６０】
電流／電圧変換器３ａ、３ｂから出力される２つの逆相の電圧信号を信号振幅検出器１１でモニターし、この２つの逆相信号の振幅が同等になるように、ゲイン制御回路１２により電流／電圧変換器３ａ、３ｂのゲインが調整される。
【００６１】
以上のように、本実施形態によれば、信号振幅検出器１１、ゲイン制御回路１２によりフィードバックをかけ、電流／電圧変換器３ａ、３ｂのゲインを調節することで、自動的に差動アンプ４の２つの入力信号の振幅を同等にし、ノイズ量も同等にして減算することで、ノイズを低減させることが可能となる。
【００６２】
上記第２から第４の実施形態では、信号振幅を調節するために、電流／電圧変換器３ａ、３ｂのゲインを調整したが、これに代わって、フォトディテクター２ａ、２ｂの感度を調整してもよい。これを第５から第７の実施形態として以下で説明する。
【００６３】
（第５の実施形態）
図５は、本発明の第５の実施形態に係る光磁気ディスクのＲＦ信号処理装置の構成図である。なお、本実施形態は、上記本発明の第５の特徴的形態を具現化したものである。図５において、１６は感度制御回路で、第２の実施形態における電流／電圧変換器３ａ、３ｂのゲインを制御するゲイン制御回路７の代替手段であり、フォトディテクター２ａ、２ｂの感度を制御する。
【００６４】
ジッター検出器６より検出したジッター量が最小になるように、感度制御回路１６でフォトディテクター２ａ、２ｂの感度が制御される。この感度を制御することで、フォトディテクター２ａ、２ｂより出力される電流が制御され、電流／電圧変換器３ａ、３ｂの出力信号の振幅が制御されることになる。
【００６５】
以上のように、本実施形態によれば、ジッター検出器６、感度制御回路１６によりフィードバックをかけ、フォトディテクター２ａ、２ｂの感度を調節することで、自動的に差動アンプ４の２つの入力信号の振幅を同等にし、ノイズ量も同等にして減算することで、ノイズを低減させることが可能となる。
【００６６】
（第６の実施形態）
図６は、本発明の第６の実施形態に係る光磁気ディスクのＲＦ信号処理装置の構成図である。なお、本実施形態は、上記本発明の第６の特徴的形態を具現化したものである。図６において、１７は感度制御回路で、第３の実施形態における電流／電圧変換器３ａ、３ｂのゲインを制御するゲイン制御回路１０の代替手段であり、フォトディテクター２ａ、２ｂの感度を制御する。
【００６７】
フィルター８は、増幅器５からの出力信号の周波数成分のうちノイズ帯域のみを通過させる。このノイズの振幅をノイズ振幅検出器９で検出し、検出したノイズの振幅が最少になるように、感度制御回路１７でフォトディテクター２ａ、２ｂの感度が制御される。
【００６８】
以上のように、本実施形態によれば、フィルター８、ノイズ振幅検出器９、感度制御回路１７によりフィードバックをかけ、フォトディテクター２ａ、２ｂの感度を調節することで、自動的に差動アンプ４の２つの入力信号の振幅を同等にし、ノイズ量も同等にして減算することで、ノイズを低減させることが可能となる。
【００６９】
（第７の実施形態）
図７は、本発明の第７の実施形態に係る光磁気ディスクのＲＦ信号処理装置の構成図である。なお、本実施形態は、上記本発明の第７の特徴的形態を具現化したものである。図７において、１８は感度制御回路で、第４の実施形態における電流／電圧変換器３ａ、３ｂのゲインを制御するゲイン制御回路１２の代替手段であり、フォトディテクター２ａ、２ｂの感度を制御する。
【００７０】
電流／電圧変換器３ａ、３ｂから出力される２つの逆相の電圧信号を信号振幅検出器１１でモニターし、この２つの逆相信号の振幅が同等になるように、感度制御回路１８でフォトディテクター２ａ、２ｂの感度が制御される。
【００７１】
以上のように、本実施形態によれば、信号振幅検出器１１、感度制御回路１８によりフィードバックをかけ、フォトディテクター２ａ、２ｂの感度を調節することで、自動的に差動アンプ４の２つの入力信号の振幅を同等にし、ノイズ量も同等にして減算することで、ノイズを低減させることが可能となる。
【００７２】
第２から第７の実施形態では、光磁気ディスクから信号を再生してフィードバックをかけ、電流／電圧変換器３ａ、３ｂのゲインまたはフォトディテクター２ａ、２ｂの感度を調整したが、工場調整時、すなわち光磁気ディスクから信号を再生せずに、電流／電圧変換器３ａ、３ｂのゲインまたはフォトディテクター２ａ、２ｂの感度を調整してもよい。これを第８および第９の実施形態として以下に説明する。
【００７３】
（第８の実施形態）
図８は、本発明の第８の実施形態に係る光磁気ディスクのＲＦ信号処理装置の構成図である。なお、本実施形態は、上記本発明の第８の特徴的形態を具現化したものである。図８において、１３はレーザー発生器、１４は信号振幅検出器、１５はゲイン制御回路である。
【００７４】
信号振幅調整の制御量検出方法として、工程調整時、いわゆる光磁気ディスクの無再生時に、外部のレーザー発生器１３よりフォトディテクター２ａ、２ｂに同じ強度かつ同じ回転角を有する光を当て、増幅器５の出力信号の振幅を信号振幅検出器１４で検出する。
【００７５】
ここで、フォトディテクター２ａ、２ｂに同じ強度かつ同じ回転角を有する光を当てているため、フォトディテクター２ａおよび電流／電圧変換器３ａと、フォトディテクター２ｂおよび電流／電圧変換器３ｂとにゲインバラツキが無ければ、電流／電圧変換器３ａ、３ｂから出力される２つの電圧信号は同極性で同振幅となり、その後、差動アンプ４で減算すると振幅はゼロとなる。増幅器５の出力信号の振幅が最小になるということは、差動アンプの２つの入力信号振幅が同等になっているということで、その信号にのるノイズも同量であり差動アンプ４でキャンセルされる。
【００７６】
これを利用し、増幅器５の出力信号の振幅が最小になるように、ゲイン制御回路１５により電流／電圧変換器３ａ、３ｂのゲインが制御される。
【００７７】
以上のように、本実施形態によれば、工場調整時、すなわち光磁気ディスクの無再生時に、外部のレーザー発生器１３よりフォトディテクター２ａ、２ｂに同じ強度および回転角を有する光を当て、増幅器５の出力信号の振幅を検出し、その検出した振幅が最小になるように、ゲイン制御回路１５により電流／電圧変換器３ａ、３ｂのゲインを制御することで、第２から第７の実施形態のように、光磁気ディスクから信号を再生してフィードバックをかけ、ノイズの低減の調整をするというタイムラグなしに、ノイズの低減が可能となる。
【００７８】
（第９の実施形態）
図９は、本発明の第９の実施形態に係る光磁気ディスクのＲＦ信号処理装置の構成図である。なお、本実施形態は、上記本発明の第９の特徴的形態を具現化したものである。本実施形態が第８の実施形態と異なるのは、ゲイン制御回路１５により電流／電圧変換器３ａ、３ｂのゲインを制御する代わりに、感度制御回路１９によりフォトディテクター２ａ、２ｂの感度を制御する点にある。
【００７９】
以上のように、本実施形態によれば、工場調整時、すなわち光磁気ディスクの無再生時に、外部のレーザー発生器１３よりフォトディテクター２ａ、２ｂに同じ強度および回転角を有する光を当て、増幅器５の出力信号の振幅を検出し、その検出した振幅が最小になるように、感度制御回路１９によりフォトディテクター２ａ、２ｂの感度を制御することで、第２から第７の実施形態のように、光磁気ディスクから信号を再生してフィードバックをかけ、ノイズの低減の調整をするというタイムラグなしに、ノイズの低減が可能となる。
【００８０】
第２から第９の実施形態では、電流／電圧変換器３ａ、３ｂのゲインまたはフォトディテクター２ａ、２ｂの感度を調整したが、信号振幅を別の手段で調整する方法について、第１０から第１３の実施形態として以下で説明する。
【００８１】
（第１０の実施形態）
図１０は、本発明の第１０の実施形態に係る光磁気ディスクのＲＦ信号処理装置の構成図である。なお、本実施形態は、上記本発明の第１０の特徴的形態を具現化したものである。図１０において、２０はバランス回路、２１はバランス量制御回路であり、その他の構成は第２の実施形態と同じである。
【００８２】
バランス回路２０は、差動アンプ４への２つの入力信号の振幅バランスをとるために、フォトディテクター２ａ、２ｂと差動アンプ４との間に設けられる。フォトディテクター２ａから出力された電圧信号は、バランス回路２０により（１−Ｋ）（０≦Ｋ＜１）倍され、一方、フォトディテクター２ｂから出力された電圧信号は、バランス回路２０により（１＋Ｋ）倍される。
【００８３】
ここで、Ｋはバランス調整量であり、ジッター検出器６により検出された、増幅器５の出力信号におけるジッター量が最小になるように、バランス量制御回路２１により設定される。
【００８４】
以上のように、本実施形態によれば、ジッター検出器６、バランス量制御回路２１によりフィードバックをかけ、バランス回路２０により差動アンプ４の入力信号の振幅バランスをとることで、自動的に差動アンプ４の２つの入力信号の振幅を同等にし、ノイズ量も同等にして減算することで、ノイズを低減させることが可能となる。
【００８５】
また、電流／電圧変換器３ａ、３ｂから前段と後段で２チップ構成をとる場合、前段のチップが変更になった時、後段のチップのみでノイズ調整ができる。従って、一体型チップのように全システムを変える必要はなく、前段チップの変更のみで対応することができる。
【００８６】
（第１１の実施形態）
図１１は、本発明の第１１の実施形態に係る光磁気ディスクのＲＦ信号処理装置の構成図である。なお、本実施形態は、上記本発明の第１１の特徴的形態を具現化したものである。図１１において、２０はバランス回路、２２はバランス量制御回路であり、その他の構成は第３の実施形態と同じである。
【００８７】
フィルター８により増幅器５からの出力信号におけるノイズ帯域のみを通過させ、このノイズの振幅をノイズ振幅検出器９で検出し、検出したノイズの振幅が最小になるように、バランス量制御回路２２によりバランス回路２０のバランス調整量Ｋが制御される。
【００８８】
以上のように、本実施形態によれば、フィルター８、ノイズ振幅検出器９、バランス量制御回路２２によりフィードバックをかけ、バランス回路２０により差動アンプ４の入力信号の振幅バランスをとることで、自動的に差動アンプ４の２つの入力信号の振幅を同等にし、ノイズ量も同等にして減算することで、ノイズを低減させることが可能となる。
【００８９】
また、電流／電圧変換器３ａ、３ｂから前段と後段で２チップ構成をとる場合、前段のチップが変更になった時、後段のチップのみでノイズ調整ができる。従って、一体型チップのように全システムを変える必要はなく、前段チップの変更のみで対応することができる。
【００９０】
（第１２の実施形態）
図１２は、本発明の第１２の実施形態に係る光磁気ディスクのＲＦ信号処理装置の構成図である。なお、本実施形態は、上記本発明の第１２の特徴的形態を具現化したものである。図１２において、２０はバランス回路、２３はバランス量制御回路であり、その他の構成は第４の実施形態と同じである。
【００９１】
差動アンプ４に入力される２つの逆相信号を信号振幅検出器１１でモニターし、この２つの逆相信号の振幅が同等になるように、バランス量制御回路２３によりバランス回路２０のバランス調整量Ｋが制御される。
【００９２】
以上のように、本実施形態によれば、信号振幅検出器１１、バランス量制御回路２３によりフィードバックをかけ、バランス回路２０により差動アンプ４の入力信号の振幅バランスをとることで、自動的に差動アンプ４の２つの入力信号の振幅を同等にし、ノイズ量も同等にして減算することで、ノイズを低減させることが可能となる。
【００９３】
また、電流／電圧変換器３ａ、３ｂから前段と後段で２チップ構成をとる場合、前段のチップが変更になった時、後段のチップのみでノイズ調整ができる。従って、一体型チップのように全システムを変える必要はなく、前段チップの変更のみで対応することができる。
【００９４】
（第１３の実施形態）
図１３は、本発明の第１３の実施形態に係る光磁気ディスクのＲＦ信号処理装置の構成図である。なお、本実施形態は、上記本発明の第１３の特徴的形態を具現化したものである。図１３において、２０はバランス回路、２４はバランス量制御回路であり、その他の構成は第８の実施形態と同じである。
【００９５】
工程調整時に、外部のレーザー発生器１３よりフォトディテクター２ａ、２ｂに同じ強度および回転角を有する光を当て、増幅器５の出力信号の振幅を信号振幅検出器１４で検出し、この出力信号の振幅が最小になるように、バランス量制御回路２４によりバランス回路２０のバランス調整量Ｋが制御される。
【００９６】
以上のように、本実施形態によれば、第２から第７の実施形態のように、光磁気ディスクから信号を再生してフィードバックをかけ、ノイズの低減の調整をするというタイムラグなしに、ノイズの低減が可能となる。
【００９７】
また、電流／電圧変換器３ａ、３ｂから前段と後段で２チップ構成をとる場合、前段のチップが変更になった時、後段のチップのみでノイズ調整ができる。従って、一体型チップのように全システムを変える必要はなく、前段チップの変更のみで対応することができる。
【００９８】
【発明の効果】
以上説明したように、本発明によれば、差動アンプの２つの入力信号の振幅を制御する手段を設けることで、入力が微小信号でかつフォトディテクターと電流／電圧変換器にゲインバラツキがあっても、常に差動アンプの２つの入力信号の振幅を同等にし、ノイズ量も同等にして減算することで、ノイズを低減させることが可能になる。
【図面の簡単な説明】
【図１】本発明の第１の実施形態に係る光磁気ディスクのＲＦ信号処理装置の構成図
【図２】本発明の第２の実施形態に係る光磁気ディスクのＲＦ信号処理装置の構成図
【図３】本発明の第３の実施形態に係る光磁気ディスクのＲＦ信号処理装置の構成図
【図４】本発明の第４の実施形態に係る光磁気ディスクのＲＦ信号処理装置の構成図
【図５】本発明の第５の実施形態に係る光磁気ディスクのＲＦ信号処理装置の構成図
【図６】本発明の第６の実施形態に係る光磁気ディスクのＲＦ信号処理装置の構成図
【図７】本発明の第７の実施形態に係る光磁気ディスクのＲＦ信号処理装置の構成図
【図８】本発明の第８の実施形態に係る光磁気ディスクのＲＦ信号処理装置の構成図
【図９】本発明の第９の実施形態に係る光磁気ディスクのＲＦ信号処理装置の構成図
【図１０】本発明の第１０の実施形態に係る光磁気ディスクのＲＦ信号処理装置の構成図
【図１１】本発明の第１１の実施形態に係る光磁気ディスクのＲＦ信号処理装置の構成図
【図１２】本発明の第１２の実施形態に係る光磁気ディスクのＲＦ信号処理装置の構成図
【図１３】本発明の第１３の実施形態に係る光磁気ディスクのＲＦ信号処理装置の構成図
【図１４】従来の光磁気ディスクのＲＦ信号処理装置の構成図
【図１５Ａ】従来例において、フォトディテクター２ａおよび電流／電圧変換器３ａと、フォトディテクター２ｂおよび電流／電圧変換器３ｂとにゲインバラツキが無い場合の各部信号とその信号に載るノイズの例を示す波形図
【図１５Ｂ】従来例において、フォトディテクター２ａおよび電流／電圧変換器３ａと、フォトディテクター２ｂおよび電流／電圧変換器３ｂとにゲインバラツキの合計が±１０％ある場合の各部信号とその信号に載るノイズの例を示す波形図
【図１５Ｃ】従来例において、ピックアップからの信号が微小になった場合で、フォトディテクター２ａおよび電流／電圧変換器３ａと、フォトディテクター２ｂおよび電流／電圧変換器３ｂとにゲインバラツキの合計が±１０％ある場合の各部信号とその信号に載るノイズの例を示す波形図
【符号の説明】
１ａ、１ｂ　偏光板
２ａ、２ｂ　フォトディテクター
３ａ、３ｂ　電流／電圧変換器（Ｉ／Ｖ）
４　差動アンプ
５　増幅器
６　ジッター検出器
７、１０、１２、１５　ゲイン制御回路
８　フィルター
９　ノイズ振幅検出器
１１、１４　信号振幅検出器
１３　レーザー発生器
１６、１７、１８、１９　感度制御回路
２０　バランス回路
２１、２２、２３、２４　バランス量制御回路
２５　信号振幅制御器
【図１】
2004013963.tif 000003
【図２】
2004013963.tif 000004
【図３】
2004013963.tif 000005
【図４】
2004013963.tif 000006
【図５】
2004013963.tif 000007
【図６】
2004013963.tif 000008
【図７】
2004013963.tif 000009
【図８】
2004013963.tif 000010
【図９】
2004013963.tif 000011
【図１０】
2004013963.tif 000012
【図１１】
2004013963.tif 000013
【図１２】
2004013963.tif 000014
【図１３】
2004013963.tif 000015
【図１４】
2004013963.tif 000016
【図１５Ａ】
2004013963.tif 000017
【図１５Ｂ】
2004013963.tif 000018
【図１５Ｃ】
2004013963.tif 000019